(57)【要約】      （修正有）【課題】加熱された食材をまさにフライパンの上でくんせい材を燻した如く、その燻しを金網上に載置された食材にかぎられた室内で効率良くしみ込ませる効果が得られるくんせい器を提供する。【解決手段】プロパンガスボンベを立て、横方向に直角に切断し、これを組み立て内部底辺にくんせい材を載置し、金網受けにより支持された金網上に食材を載置し、充分に燻すべく、ボンベを外部底辺より加熱する。【選択図】図１
0003153822.tif 000002
【実用新案登録請求の範囲】
【請求項１】
プロパンガスボンベを切断し、これを組み立て内部底辺にくんせい材を載置し、金網上に置かれた食材を充分に燻されるべく、該ボンベを外部底辺より加熱する構造よりなるくんせい器。
【考案の詳細な説明】
【技術分野】
【０００１】  本考案は再生商品としてプロパンガス集配用ボンベを空にし適宜箇所にて切断し、ボンベを再利用したくんせい器に関するものである。
【背景技術】
【０００２】  アウトドアー・一般家庭用のくんせい器として陶器製のものが利用されてきたが、味覚においても運搬・保管面においてももうひとつの感があった。
【考案の開示】
【考案が解決しようとする課題】
【０００３】  本考案は集配用プロパンガスボンベを再利用したくんせい器を得ようとするもので味覚においても、運搬・保管面でも前述の欠点を解決しようとするものである。
【課題を解決するための手段】
【０００４】  本考案はガスボンベ本体を適宜間隔に切断しこれを組み立てて、最下部内部にくんせい材を載置しボンベの外部に設けられた熱源（携帯用コンロ・焚き火・炭火）で、加熱すれればかぎられた室内で充分蒸し込み燻されるので、味覚においても効率良いくんせいができるものであり、又鉄製であるため運搬においても破損の心配がない利点を有するものである。
【考案の効果】
【０００５】  上述のように、本考案のくんせい器は加熱されたまさにフライパンの上でくんせい材を燻し、その燻しを金網上に載置された食材にかぎられた室内で効率良くしみ込ませる効果が得られるくんせい器を提供しようとするものである。
【考案を実施するための最良の形態】
【０００６】  集配用ガスボンベを再生商品として利用して、くんせい器を得ようとするものである。
【実施例】
【０００７】  以下、添付図面に従って一実施例を説明する。１は集配用プロパンガス・ボンベを横方向に適宜間隔にて切断し、各片（図中３等分）２・３とする。各片２・３の外周下部にバンド４・５をそれぞれ１・２の上部が挿入可能に溶着する。
６は切断したボンベ３の最上部中心に設けた排気口兼フード（耐火ガラス）である。
１１１・１１２・１１３は組み立て、取り外しの際の取っ手で左右ある。１１４・１１５・１１６は覗き窓、兼フード（耐火ガラス）である。
７・８・９は金網であり、ストッパー１１７・１１８・１１９でそれぞれ架承されてり、金網７上には食材からでる油等を受ける油受け皿１０を乗せ、金網８・９には食材を載置する。
鉄製ボンベ１下部内にはくんせい材１１を載置する。１２０はボンベ１・２・３を支える脚（三等分以上ある）であり、１２１はボンベ１・２・３の外部に置かれた携帯用コンロである。【０００８】  本考案の一実施例は上述の如き構造からなるものであるから、１・２・３と組み立てられたボンベ下部の外部に置かれた携帯用コンロで加熱されれば、ボンベ１内部に載置されたくんせい材１０はボンベ１・２・３内で充満し、金網８・９上に載置された食材は充分燻され美味なる食材を得ることができるものであり又、持ち運びにおいても鉄製であるため破損することはない構造を有する利点を兼ね備えたくんせい器を提供出来得るものである。
【図面の簡単な説明】
【図１】本考案のくんせい器の実施例を示す組み立て立面図である。
【図２】本考案のくんせい器の取り外し最上部の斜視図である。
【図３】本考案のくんせい器の取り外し中間部の斜視図であり、一部破断面を有する。
【図４】本考案のくんせい器の取り外し最下部の斜視図であり、一部破断面を有する。
【符号の説明】
【０００９】    １    ガスボンベ    （下）
２    ガスボンベ    （中）
３    ガスボンベ    （上）
４    バンド
５    バンド
６    排気口兼フード窓（耐火ガラスで開閉式）
７    金網
８    金網
９    金網
１０    受け皿
１１    くんせい材
１１１    取っ手
１１２    取っ手
１１３    取っ手
１１４    覗き窓兼フード（耐火ガラスで開閉式）
１１５    覗き窓兼フード（耐火ガラスで開閉式）
１１６    覗き窓兼フード（耐火ガラスで開閉式）
１１７    金網を支えるストッパー
１１８    金網を支えるストッパー
１１９    金網を支えるストッパー
１２０    ボンベを支える脚
１２１    携帯用コンロ
【図１】
0003153822.tif 000003
【図２】
0003153822.tif 000004
【図３】
0003153822.tif 000005
【図４】
0003153822.tif 000006
【手続補正書】
【提出日】平成21年3月30日(2009.3.30)
【手続補正１】
【補正対象書類名】実用新案登録請求の範囲
【補正対象項目名】全文
【補正方法】変更
【補正の内容】
【実用新案登録請求の範囲】
【請求項１】
集配用プロパンガスボンベを縦長にし横方向に直角三分割に切断し、該ボンベを組み立て下部内にくんせい材を載置し、その上に金網受けを介して金網を設置し、その金網上に油受け皿を設け、中間ボンベ内部に二段階に金網受けを介して金網を設け、金網上に食材を載置する。
上部ボンベは最上部に通風口をもうけた構造よりなるくんせい器を外部下方より加熱する。
【手続補正２】
【補正対象書類名】明細書
【補正対象項目名】全文
【補正方法】変更
【補正の内容】
【考案の詳細な説明】
【技術分野】
【０００１】  本考案は再生商品としてプロパンガスボンベを空にし縦長を横方向直角に切断し、ボンベを再利用したくんせい器に関するものである。
【背景技術】
【０００２】  アウトドアー・一般家庭用のくんせい器として陶器製のものが利用されてきたが、味覚においても運搬・保管面においてももうひとつの感があった。
【考案の開示】
【考案が解決しようとする課題】
【０００３】  本考案は集配用プロパンガスボンベを再利用したくんせい器を得ようとするもので味覚においても、運搬・保管面でも前述の欠点を解決しようとするものである。
【課題を解決するための手段】
【０００４】  本考案はガスボンベ本体を縦長を横方向直角に三分割に切断し、これを組み立てて、最下部内部にくんせい材を載置しボンベの外部に設けられた熱源（携帯用コンロ・焚き火・炭火）で、加熱すれればかぎられた室内で充分蒸し込み燻されるので、味覚においても効率良いくんせいができるものであり、又鉄製であるため運搬においても破損の心配がない利点を有するものである。
【考案の効果】
【０００５】  上述のように、本考案のくんせい器は加熱された食材をまさにフライパンの上でくんせい材を燻した如く、その燻しを金網上に載置された食材にかぎられた室内で効率良くしみ込ませる効果が得られるくんせい器を提供しようとするものである。
【考案を実施するための最良の形態】
【０００６】  集配用ガスボンベを再生商品として利用して、くんせい器を得ようとするものである。
【実施例】
【０００７】  以下、添付図面に従って一実施例を説明する。１・２・３は集配用プロパンガス・ボンベ縦長を横方向平行に三分割に切断する。４・５は分割された２・３ボンベの外周下部にバンドを巻き１・２の上部外周が挿入可能に溶着する。
６・７・８は切断されたガスボンベ内部に設けられた金網である。９・１０・１１は金網受けであり、ガスボンベ内部に平鉄を湾曲状に曲げ溶着し、平鉄の角でそれぞれ網を架承される構造であり、１２は金網６上に食材からでる油等を受ける油受け皿を乗せ、金網７・８には食材を載置する。
１３はボンベ１下部内に載置するくんせい剤である。
１１１・１１２・１１３はボンベ１・２・３を組み立て、取り外しの際の取っ手で左右ある。１１４・１１５・１１６は覗き窓兼フード（耐火ガラス）である。
１１７は支える脚（三等分以上ある）であり、１１８はボンベ１・２・３の下方外部に置かれた携帯用コンロである。１１９は通風口である。【０００８】  本考案の一実施例は上述の如き構造からなるものであるから、１・２・３と組み立てられたボンベ下部の外部に置かれた携帯用コンロで加熱されれば、ボンベ１内部に載置されたくんせい剤１３はボンベ１・２・３内で充満し、金網７・８上に載置された食材は充分燻され美味なる食材を得ることができるものであり又、持ち運びにおいても鉄製であるため破損することはない構造を有する利点を兼ね備えたくんせい器を提供出来得るものである。
【図面の簡単な説明】
【図１】本考案のくんせい器の実施例を示す組み立て立面断面図である。
【図２】本考案のくんせい器の取り外し最上部の斜視図である。
【図３】本考案のくんせい器の取り外し中間部の斜視図であり、一部破断面を有する。
【図４】本考案のくんせい器の取り外し最下部の斜視図であり、一部破断面を有する。
【図５】本考案のくんせい器の実施例を示す組み立て立面図である。
【符号の説明】
【０００９】    １    ガスボンベ  （下）
２    ガスボンベ  （中）
３    ガスボンベ  （上）
４    バンド
５    バンド
６    金網
７    金網
８    金網
９    金網受け
１０    金網受け
１１    金網受け
１２    油受け皿
１３    くんせい剤
１１１    取っ手
１１２    取っ手
１１３    取っ手
１１４    覗き窓兼フード（耐火ガラスで開閉式）
１１５    覗き窓兼フード（耐火ガラスで開閉式）
１１６    覗き窓兼フード（耐火ガラスで開閉式）
１１７    ボンベを支える脚
１１８    ガスコンロ
１１９    通風口
【手続補正３】
【補正対象書類名】図面
【補正対象項目名】全図
【補正方法】変更
【補正の内容】
【図１】
0003153822.tif 000007
【図２】
0003153822.tif 000008
【図３】
0003153822.tif 000009
【図４】
0003153822.tif 000010
【図５】
0003153822.tif 000011
【手続補正書】
【提出日】平成21年6月25日(2009.6.25)
【手続補正１】
【補正対象書類名】実用新案登録請求の範囲
【補正対象項目名】全文
【補正方法】変更
【補正の内容】
【実用新案登録請求の範囲】
【請求項１】
プロパンガスボンベを立て、横方向に直角に切断し、これを組み立て内部底辺にくんせい材を載置し、金網受けにより支持された金網上に食材を載置し、充分に燻すべく該ボンベを外部底辺より加熱する構造よりなるくんせい器。